(57)【要約】【目的】カメラ内部のスペース効率の向上およびカメラボディの小型化を可能としたカメラの内部構造を提供する。【構成】カメラボディに、電池を収納するための電池収納室と、該電池からの電力によって駆動されるモータと、該モータの駆動力を可動部材に伝達して上記可動部材を駆動するギヤ列を収納するギヤボックスとを設けたカメラにおいて、上記電池収納室の壁の少なくとも一部を、上記ギヤボックスにより構成したことを特徴とするカメラの内部構造。【選択図】　　　図１
2004085866.tif 000002
【特許請求の範囲】
【請求項１】
カメラボディに、電池を収納するための電池収納室と、該電池からの電力によって駆動されるモータと、該モータの駆動力を可動部材に伝達して上記可動部材を駆動するギヤ列を収納するギヤボックスとを設けたカメラにおいて、
上記電池収納室の壁の少なくとも一部を、上記ギヤボックスにより構成したことを特徴とするカメラの内部構造。
【請求項２】
請求項１記載のカメラの内部構造において、上記ギヤボックスによって構成された電池収納室の壁に電池接片を取り付けたカメラの内部構造。
【請求項３】
請求項１または２記載のカメラの内部構造において、上記モータを上記ギヤボックスの一部で支持したカメラの内部構造。
【請求項４】
請求項１乃至３のいずれか１項記載のカメラの内部構造において、上記モータの出力軸はウォームであり、かつ、上記電池収納室の端部壁面に、該ウォームの先端部を受ける凹部を形成したカメラの内部構造。
【請求項５】
請求項１乃至４のいずれか１項記載のカメラの内部構造において、上記電池収納室とモータの軸線を上下方向に向けるとともに、該モータと上記電池収納室とを、ほぼ同心をなすようにして上下方向に並べ、かつ、上記ギヤボックスの一部を、上記電池収納室とモータの間に位置させたカメラの内部構造。
【請求項６】
請求項１乃至５のいずれか１項記載のカメラの内部構造において、上記可動部材が、光軸方向に進退するレンズ鏡筒である駆動するカメラの内部構造。
【発明の詳細な説明】
【０００１】
【技術分野】
本発明は、カメラの内部構造に関する。
【０００２】
【従来技術およびその問題点】
カメラの内部には、電池収納室、モータ、モータの駆動力を可動部材（例えば、光軸方向に進退可能なレンズ鏡筒）に伝達するためのギヤ列等、様々な構成部品が設けられている。そして、モータのカメラ内部への配置構造を工夫することにより、カメラ内部のスペース効率の向上およびカメラボディの小型化を図ることができる。
【０００３】
しかし従来のカメラには、モータの配置構造に関して、まだ改善の余地があり、この配置構造を工夫することにより、カメラ内部のスペース効率の向上およびカメラボディの小型化をさらに促進することができる。
【０００４】
【発明の目的】
本発明は、カメラ内部のスペース効率の向上およびカメラボディの小型化を可能としたカメラの内部構造を提供することを目的とする。
【０００５】
【発明の概要】
本発明のカメラの内部構造は、カメラボディに、電池を収納するための電池収納室と、該電池からの電力によって駆動されるモータと、該モータの駆動力を可動部材に伝達して上記可動部材を駆動するギヤ列を収納するギヤボックスとを設けたカメラにおいて、上記電池収納室の壁の少なくとも一部を、上記ギヤボックスにより構成したことを特徴としている。
【０００６】
上記ギヤボックスによって構成された電池収納室の壁に電池接片を取り付けるのが好ましい。
【０００７】
さらに、上記モータを上記ギヤボックスの一部で支持することも可能である。
【０００８】
上記モータの出力軸をウォームとし、かつ、上記電池収納室の端部壁面に、該ウォームの先端部を受ける凹部を形成するのが好ましい。
【０００９】
さらに、上記電池収納室とモータの軸線を上下方向に向けるとともに、該モータと上記電池収納室とを、ほぼ同心をなすようにして上下方向に並べ、かつ、上記ギヤボックスの一部を、上記電池収納室とモータの間に位置させるのが好ましい。
【００１０】
可動部材を、光軸方向に進退するレンズ鏡筒とすることができる。
【００１１】
【発明の実施の形態】
以下、本発明の一実施形態について添付図面を参照しながら説明する。
なお、以下の説明中の上下左右は、図１を基準としている。
図２に示すように、カメラボディ本体１の背面の左端部にはパトローネ室３が凹設されており、パトローネ室３の左側にはコンデンサ室５が凹設されている。また、カメラボディ本体１の背面の左端部には、上下方向の軸７ａを介して裏蓋７が回転自在に取り付けられている。
【００１２】
図１に示すように、カメラボディ本体１の前面には、その左端部から中央部にかけて、前面が開口する樋状のギヤボックスＢがネジ（図示略）により固定されており、その内部がギヤ収納室となっている。そして、このカメラボディ本体１とギヤボックスＢによりカメラボディＡが構成されている。ギヤボックスＢの底部には、光軸Ｏと同方向を向く多数のギヤ軸９が並べて突設されている。各ギヤ軸９には径の異なる複数のギヤＧ１、Ｇ２・・・Ｇ７が枢着され、隣り合うギヤ同士は互いに噛合しており、これらのギヤＧ１、Ｇ２・・・Ｇ７によりギヤ列Ｇが構成されている。ギヤボックスＢは前後方向に突出する上側のギヤ壁１１ａと下側のギヤ壁１１ｂとを具備しており、これらのギヤ壁１１ａ、１１ｂがギヤ列Ｇの上方と下方とにそれぞれ位置しているので、ギヤ列Ｇに塗布された潤滑油がギヤ列Ｇの周囲に飛び散らないようになっている。
【００１３】
上側のギヤ壁１１ａの左端部は、ほぼ水平の載置部１１ａ１となっており、下側のギヤ壁１１ｂの左端部は、ほぼ水平の支持部１１ｂ１となっている。図２、図３に示すように、載置部１１ａ１は、ギヤ壁１１ａの他の部分に比べて前後方向に長く、支持部１１ｂ１は、載置部１１ａ１よりさらに後方まで延びている。これら載置部１１ａ１と支持部１１ｂ１の左端部同士は上下方向を向く垂直部１１ｃにより結合されている。
一方、ギヤボックスＢの右端部は、ギヤ壁１１ａ、１１ｂに連なる、大径環状の鏡枠１３となっており、この鏡枠１３にはズームレンズ鏡筒（レンズ鏡筒）１５が、光軸Ｏ方向に進退自在かつ光軸Ｏ回りに回転自在に嵌合している。このズームレンズ鏡筒１５の外周面には、ギヤ列Ｇ中の最も右側に位置するギヤＧ７と噛合するギヤ部（図示略）が形成されている。
【００１４】
載置部１１ａ１には、その軸線が上下方向を向くモータＭの本体Ｍ１が載置されており、モータ本体Ｍ１は、載置部１１ａ１を貫通する２本のネジ１７により載置部１１ａ１に固定されている。
モータ本体Ｍ１の底面から下向きに突出する出力軸はウォームＷとなっている。このウォームＷは、載置部１１ａ１に穿設された挿入穴（図示略）を貫通して、載置部１１ａ１と支持部１１ｂ１の間の空間に位置しており、ギヤＧ１と噛合している。ウォームＷが回転すると、この駆動力は、ギヤ列Ｇを介してズームレンズ鏡筒１５のギヤ部に伝達され、ズームレンズ鏡筒１５が光軸Ｏ方向に進退する。
ウォームＷの下面にはセンターピン（先端部）Ｗ１が突設されており、支持部１１ｂ１の上面には、ウォームＷが下向きの力を受けた際にセンターピンＷ１が嵌合する、凹部１９が形成されている。
【００１５】
カメラボディ本体１の前面の左端部には、乾電池（図示略）を収納するための略円柱状の電池収納室２１が、モータＭの下方に位置するように凹設されている。この電池収納室２１は、その軸線が上下方向を向いており、平面視においてモータＭとほぼ同心をなしている。また、図１に示すように、電池収納室２１の上側の壁の一部と右側の壁の上部は、ギヤ壁１１ｂによって構成されている。
【００１６】
図２に示すように、支持部１１ｂ１の後端面は、カメラボディ本体１の前面に接触しており、この後端面には取付用凹部２３が形成され、この取付用凹部２３には、乾電池（図示略）の−端子が接触する金属製の電池接片２５が取り付けられている。この電池接片２５は、電池収納室２１内に位置するとともに略Ｖ字状に接曲された接触部２５ａと、取付用凹部２３を通る挿通部２５ｂと、支持部１１ｂ１の上面に接触する抜け止め部２５ｃとを具備しており、抜け止め部２５ｃに穿設された固定穴２５ｃ１が、支持部１１ｂ１の上面に設けられたボス２７に嵌合している。
【００１７】
このように本実施形態では、電池収納室２１の上側の壁の一部と右側の壁の上部を、ギヤ壁１１ｂによって構成することにより、部材の共用化を図っているので、電池収納室２１の上面の一部と右側面の上部を、ギヤ壁１１ｂとは別の専用の壁で囲う場合に比べて、部品点数の削減と省スペース化が図られている。さらに、モータＭをギヤ壁１１ａの載置部１１ａ１で支持しているので、モータＭを支持するための専用の支持部材を設ける場合に比べて、部品点数の削減と省スペース化が図られている。
【００１８】
また、ともに軸線が上下方向を向く電池収納室２１とモータＭを上下に並べるとともに、両者がほぼ同心をなすように配置したので、電池収納室２１とモータＭを前後や左右に並べて設ける場合に比べて、カメラボディＡの前後長および左右長が短くなっている。さらに、モータＭを、その軸線を上下方向を向けた状態で載置部１１ａ１に取り付けたので、モータＭの軸線を前後方向や左右方向に向けて取り付けた場合に比べて、カメラボディＡの前後長および左右長が短くなっている。
【００１９】
さらに、ギヤボックスＢの一部である支持部１１ｂ１に、ウォームＷのセンターピンＷ１が嵌合可能な凹部１９を形成するとともに、電池接片２５を取り付けたので、凹部１９を形成したり電池接片２５を取り付けたりするための専用の支持部材を設ける場合に比べて、部品点数の減少と省スペース化が図られている。
【００２０】
なお、本実施形態では電池収納室２１の上側の壁の一部と右側の壁の上部を、ギヤ壁１１ｂによって構成したが、電池収納室２１の他の部分の壁をギヤ壁１１ｂによって構成することも可能である。
さらに、載置部１１ａ１をギヤボックスＢの左端部に形成してあるが、ギヤボックスＢの他の部分に載置部１１ａ１を形成して、この部分でモータＭを支持してもよい。
【００２１】
【発明の効果】
本発明によれば、カメラ内部のスペース効率の向上、およびカメラボディの小型化を図ることができる。
【図面の簡単な説明】
【図１】本発明の一実施形態の要部の正面図である。
【図２】カメラボディの左端部を上方から見た図である。
【図３】カメラボディを左側から側面図である。
【図４】ギヤボックスの左端部の拡大平面図である。
【符号の説明】
１　　　カメラボディ本体
３　　　パトローネ室
５　　　コンデンサ室
７　　　裏蓋
７ａ　　軸
９　　　ギヤ軸
１１ａ　１１ｂ　ギヤ壁
１１ａ１　載置部
１１ｂ１　支持部
１３　　鏡枠
１５　　ズームレンズ鏡筒（レンズ鏡筒）
１７　　ネジ
１９　　凹部
２１　　電池収納室
２３　　取付用凹部
２５　　電池接片
２５ａ　接触部
２５ｂ　挿通部
２５ｃ　抜け止め部
２５ｃ１　固定穴
２７　　ボス
Ａ　　　カメラボディ
Ｂ　　　ギヤボックス
Ｇ　　　ギヤ列
Ｇ１　Ｇ２　Ｇ３　Ｇ４　Ｇ５　Ｇ６　Ｇ７　ギヤ
Ｏ　　　光軸
Ｗ　　　ウォーム
Ｗ１　　センターピン（先端部）
【図１】
2004085866.tif 000003
【図２】
2004085866.tif 000004
【図３】
2004085866.tif 000005
【図４】
2004085866.tif 000006